(57)【要約】【課題】使用者がいる部屋に設置されているテレビジョン受像機とリモコンが届かないような別の部屋に設置されているＡＶ機器とを接続して、ＡＶ機器の画像または音声をテレビジョン受像機に出力しながらＡＶ機器を制御する。【解決手段】デジタル情報を双方向に伝送可能なネットワークＤ０１によって、テレビジョン受像機Ｂ０１にＡＶ機器Ｃ０１が接続されており、テレビジョン受像機Ｂ０１に備えられたリモコン送信機Ａ０１のリモコン信号を、テレビジョン受像機Ｂ０１がＡＶ機器Ｃ０１を制御する制御コマンドに変換し、ＡＶ機器Ｃ０１を遠隔操作可能にする。【選択図】    図１
2004320296.tif 000002
【特許請求の範囲】
【請求項１】
デジタル情報を双方向に伝送可能なネットワーク上でテレビジョン受像機に少なくとも１台の被制御機器が接続されており、前記テレビジョン受信機用のリモコン送信機を用いて、前記テレビジョン受像機と、前記被制御機器とを制御する遠隔制御システムであって、
前記リモコン送信機は、使用者の操作をリモコンコードに変換するリモコン操作部と、前記リモコンコードを送信するリモコン送信部とを備え、
前記テレビジョン受像機は、前記リモコンコードを受信するリモコン受信部と、
前記被制御機器を制御するための制御コマンドの送受信を前記被制御機器との間で行う入出力部と、前記リモコンコードを前記制御コマンドに変換するための対応情報を記憶する記憶部と、前記対応情報を表示する表示部と、前記リモコン受信部、前記入出力部、前記記憶部および前記表示部を制御し、受信した前記リモコンコードを前記制御コマンドに変換し、前記制御コマンドを前記入出力部へ送る制御処理部とを備え、
前記被制御機器は、前記テレビジョン受像機との間で前記制御コマンドの送受信を行う被制御機器入出力部と、前記制御コマンドを記憶する被制御機器記憶部と、前記被制御機器記憶部及び前記被制御機器入出力部を制御し、前記制御コマンドを前記被制御機器入出力部へ送る被制御機器制御処理部とを備えた遠隔制御システム。
【請求項２】
記憶部はリモコンコードおよび被制御機器から送信された制御コマンドを記憶し、被制御機器は、前記被制御機器の各動作の動作名コード、動作優先度が割り当てられている制御コマンドを持ち、前記制御コマンドをテレビジョン受像機に送信可能である請求項１記載の遠隔制御システム。
【請求項３】
テレビジョン受像機は、１台の被制御機器が接続された場合に、前記被制御機器から制御コマンドを受信し、動作優先度を判断基準としてリモコンコードを制御コマンドに変換するための対応情報を決定し記憶する請求項２記載の遠隔制御システム。
【請求項４】
テレビジョン受像機は、複数台の被制御機器が接続された場合に、複数台の前記被制御機器から制御コマンドを受信し、それぞれの前記被制御機器の前記制御コマンドの総数および動作優先度を判断基準としてリモコンコードを前記制御コマンドに変換する対応情報を決定し記憶する請求項２記載の遠隔制御システム。
【請求項５】
テレビジョン受像機は、複数のリモコンコードのうち、前記制御コマンドに変換しない少なくとも１つの前記リモコンコードを制御切り換えリモコンコードとして割り当て、テレビジョン受像機と、１台または複数台の被制御機器との制御を切り換えるためのリモコンコードとする請求項３または請求項４記載の遠隔制御システム。
【請求項６】
テレビジョン受像機は、複数のリモコンコードのうち、制御コマンドに変換しない少なくとも１つの前記リモコンコードを表示切り換えリモコンコードとして割り当て、対応情報を表示部に表示するためのリモコンコードとする請求項３または請求項４記載の遠隔制御システム。
【発明の詳細な説明】
【０００１】
【発明の属する技術分野】
本発明は、ＩＥＥＥ１３９４等のインターフェースにより接続された複数のデジタルＡＶ機器を１台のテレビリモコン送信機からのリモコンコードを受信してＡＶ機器を遠隔制御する、テレビジョン受像機によるデジタルＡＶ機器等の遠隔制御システムに関するものである。
【０００２】
【従来の技術】
近年、さまざまなＡＶ機器等がリモコン送信機によって遠隔操作可能となっているが、このような機器では、機器ごとに専用のリモコン送信機が必要なため、機器が増えるごとにリモコン送信機も増え、使用者は数多くのリモコン送信機を管理するという煩わしさを強いられてきた。これを解消するために学習リモコンや、各社リモコンコードをプリセットしたリモコンなどが考案された。
【０００３】
しかし、リモコンの赤外線が届かないような別の部屋に設置されているＡＶ機器と、使用者がいる部屋のテレビとを接続してＡＶ機器を制御する場合、使用者がリモコンによってＡＶ機器を制御することは不可能であるので、使用者はＡＶ機器を操作するたびにＡＶ機器が設置されている部屋までわざわざ移動しなければならない。
【０００４】
そこで、このような不便さを解消するために、様々な発明がなされており、一例を挙げると、特許文献１は、テレビジョン受像機と被制御機器が接続されているネットワークにおいて、リモコンがテレビジョン受像機にテレビジョン受像機用の制御コマンドを送信し、テレビジョン受像機がＩＣカードなどの交換可能な記憶媒体に記憶されている割り当て情報を元に、テレビジョン受像機用の制御コマンドを被制御機器用の制御コマンドに変換してネットワークを介して各被制御機器にコマンドを送信して制御する、というものである。
【０００５】
【特許文献１】
特開２００１−１２８２６３
【０００６】
【発明が解決しようとする課題】
しかしこの発明では、制御する全ての被制御機器の割り当て情報がＩＣカードに記憶されている必要があるため、ＩＣカードに割り当て情報が記憶されていない機器を接続して制御する場合にＩＣカードを交換するか、あるいは新しい割り当て情報を外部から取得してＩＣカードの割り当て情報を更新しなければならない。
【０００７】
したがって、この発明の目的は、記憶媒体の交換や更新をする必要がない遠隔制御システムを提供することである。
【０００８】
【課題を解決するための手段】
請求項１記載の遠隔制御システムは、デジタル情報を双方向に伝送可能なネットワーク上でテレビジョン受像機に少なくとも１台の被制御機器が接続されており、テレビジョン受像機用のリモコン送信機を用いて、テレビジョン受像機と、被制御機器とを制御する遠隔制御システムであって、
リモコン送信機は、使用者の操作をリモコンコードに変換するリモコン操作部と、リモコンコードを送信するリモコン送信部とを備え、
テレビジョン受像機は、リモコンコードを受信するリモコン受信部と、
被制御機器を制御するための制御コマンドの送受信を被制御機器との間で行う入出力部と、リモコンコードを制御コマンドに変換するための対応情報を記憶する記憶部と、対応情報を表示する表示部と、リモコン受信部、入出力部、記憶部および表示部を制御し、受信したリモコンコードを制御コマンドに変換し、制御コマンドを入出力部へ送る制御処理部とを備え、
被制御機器は、テレビジョン受像機との間で制御コマンドの送受信を行う被制御機器入出力部と、制御コマンドを記憶する被制御機器記憶部と、被制御機器記憶部及び被制御機器入出力部を制御し、制御コマンドを被制御機器入出力部へ送る被制御機器制御処理部とを備えたものである。
【０００９】
なおリモコン送信機はテレビジョン受像機と被制御機器に共通のものであっても構わない。
【００１０】
請求項１記載の遠隔制御システムによれば、使用者はリモコンが届かない場所に設置されているＡＶ機器等を例えばテレビジョン受像機に備え付けられているリモコン送信機を用いて制御することができる。その上、接続機器から対応情報を自動的に取得することにより、接続機器に応じて対応情報が記憶されたＩＣカードなどの記憶媒体を交換したり、使用者が意識的に外部からダウンロードして対応情報を更新する必要がないという効果がある。
【００１１】
請求項２記載の遠隔制御システムは、請求項１において、記憶部がリモコンコードおよび被制御機器から送信された制御コマンドを記憶し、被制御機器が、被制御機器の各動作の動作名コード、動作優先度が割り当てられている制御コマンドを持ち、制御コマンドをテレビジョン受像機に送信可能である。
【００１２】
請求項２記載の遠隔制御システムによれば、請求項１と同様な効果がある。
【００１３】
請求項３記載の遠隔制御システムは、請求項２において、テレビジョン受像機が、１台の被制御機器が接続された場合に、被制御機器から制御コマンドを受信し、動作優先度を判断基準としてリモコンコードを制御コマンドに変換するための対応情報を決定し記憶するものである。
【００１４】
請求項３記載の遠隔制御システムによれば、請求項１と同様な効果がある。
【００１５】
請求項４記載の遠隔制御システムは、請求項２において、テレビジョン受像機は、複数台の被制御機器が接続された場合に、複数台の被制御機器から制御コマンドを受信し、それぞれの被制御機器の制御コマンドの総数および動作優先度を判断基準としてリモコンコードを制御コマンドに変換する対応情報を決定し記憶するものである。
【００１６】
請求項４記載の遠隔制御システムによれば、請求項１と同様な効果がある。
【００１７】
請求項５記載の遠隔制御システムは、請求項３または請求項４において、テレビジョン受像機が、複数のリモコンコードのうち、制御コマンドに変換しない１つのリモコンコードを制御切り換えリモコンコードとして割り当て、テレビジョン受像機と、１台または複数台の被制御機器との制御を切り換えるためのリモコンコードとするものである。
【００１８】
請求項５記載の遠隔制御システムによれば、請求項３または請求項４と同様な効果がある。
【００１９】
請求項６記載の遠隔制御システムは、請求項３または請求項４において、テレビジョン受像機が、複数のリモコンコードのうち、制御コマンドに変換しない１つのリモコンコードを表示切り換えリモコンコードとして割り当て、対応情報を表示部に表示するためのリモコンコードとするものである。
【００２０】
請求項６記載の遠隔制御システムによれば、請求項３または請求項４と同様な効果がある。
【００２１】
【発明の実施の形態】
以下、本発明の一実施の形態を図面を用いて詳細に説明する。図１は、本発明の一実施の形態を示すシステム構成図であり、この実施の形態ではリモコン送信機Ａ０１とテレビジョン受像機Ｂ０１と被制御機器Ｃ０１によって構成される。Ａ０１はテレビジョン受像機Ｂ０１に付属し、使用者がテレビジョン受像機Ｂ０１を遠隔操作するためのリモコン送信機であるが、テレビジョン受像機Ｂ０１制御用リモコンコードを送信するリモコン送信機であれば、必ずしも付属の物でなくてもよい。
【００２２】
Ａ０２は使用者がボタンを押すことによってそのボタンに対応したリモコンコードが選択されてリモコン送信部Ａ０３へ送るリモコン操作部である。Ａ０３はリモコン操作部Ａ０２から送られたリモコンコードを赤外線などに変換して送信するリモコン送信部である。
【００２３】
Ｂ０１はテレビジョン受像機であり、デジタルテレビなどがこれに該当し、例えばＩＥＥＥ１３９４ネットワークＤ０１によって他のデジタルＡＶ機器と接続され、接続機器との間で情報やデータの送受信を行なう。また、使用者がリモコン送信機によって遠隔制御可能である。
【００２４】
Ｂ０２はリモコン送信機Ａ０１が送信したリモコンコードを受信し、制御処理部Ｂ０６へ送るリモコン受信部である。Ｂ０３は自機器のリモコンコード、及び被制御機器Ｃ０１から送信される制御コマンド、及びリモコンコードを制御コマンドに変換するための対応情報を記憶する記憶部である。Ｂ０４は入出力部であり、ＩＥＥＥ１３９４ネットワークＤ０１を介して被制御機器Ｃ０１との間で情報の送受信を行なうためのＩＥＥＥ１３９４インターフェイスである。Ｂ０５は表示部であり、テレビジョン受像機Ｂ０１の本来の機能であるモニター画面のことであり、対応情報が表示される。Ｂ０６はリモコン受信部Ｂ０２、記憶部Ｂ０３、入出力部Ｂ０４、表示部Ｂ０５を制御し、それぞれと情報のやり取りを行なう制御処理部である。
【００２５】
Ｃ０１は被制御機器であり、ＤＶＤ、デジタルビデオ、ＭＤなどのデジタルＡＶ機器がこれに該当し、ＩＥＥＥ１３９４ネットワークＤ０１によって他のデジタルＡＶ機器と接続され、接続機器との間で情報やデータの送受信を行なう。
Ｃ０２は被制御機器入出力部（以下、単に入出力部Ｃ０２とする）であり、ＩＥＥＥ１３９４ネットワークＤ０１を介して他の接続機器との間で情報の送受信を行なうためのＩＥＥＥ１３９４インターフェイスである。Ｃ０３は被制御機器記憶部（以下、単に記憶部Ｃ０３とする）であり、被制御機器Ｃ０１の制御コマンドを記憶する。被制御機器の各動作に対する各制御コマンドには、例えば「再生」、「停止」、「早送り」などの動作名コードと各動作の動作優先度（再生＝１、停止＝２、早送り＝３、・・・）を割り当てるが、動作優先度は使用頻度の高い動作ほど高い優先度を割り当てる。Ｃ０４は被制御機器制御処理部（以下、単に制御処理部Ｃ０４とする）であり、入出力部Ｃ０２、記憶部Ｃ０３を制御し、各部と情報のやり取りを行なう。
【００２６】
Ｄ０１はＩＥＥＥ１３９４ネットワークであり、各接続機器が情報を送受信するためのネットワークである。
【００２７】
図２はリモコン送信機のボタン配置の一例であり、Ａ０４、Ａ０５は音量調節ボタン、Ａ０６は消音ボタン、Ａ０７〜Ａ１８はチャンネルボタン、Ａ１９はテレビアンテナ入力とビデオ入力の切換のための入力切換ボタン、Ａ２０はメニューボタンである。
【００２８】
次にテレビジョン受像機Ｂ０１の動作について説明する。被制御機器Ｃ０１が接続される場合にＢ０１は図３の手順に従って処理を行なう。
【００２９】
まず電源が投入されるとテレビジョン受像機Ｂ０１は「待機」状態となり、リモコン送信機Ａ０１からのリモコン信号や被制御機器Ｃ０１の接続を待つ。
【００３０】
「待機」状態で被制御機器Ｃ０１が接続された場合、「機器接続確認」へ移行し、テレビジョン受像機Ｂ０１が、被制御機器Ｃ０１の接続が確立されたかどうかを入出力部Ｂ０４によって確認する。確認されれば、「制御コマンド要求信号の送信」へ移行し、テレビジョン受像機Ｂ０１は被制御機器Ｃ０１に対して動作名コードと動作優先度が割り当てられた全ての制御コマンドを要求する信号を送る。被制御機器Ｃ０１が制御コマンドの要求信号を受けると、「制御コマンド取得」へ移行し、Ｃ０１から全ての制御コマンドが送られ、入出力部Ｂ０４がこれを受信し、記憶部Ｂ０３が記憶する。「対応情報作成」では、制御処理部Ｂ０６は入出力部Ｂ０４が受けた全ての制御コマンドと記憶部Ｂ０３が予め記憶している全てのリモコンコードと比較し、動作優先度の高い制御コマンドから順番に各リモコンコードに１つずつ割り当てた対応情報を作成する。このとき、２つのリモコンコードだけ制御コマンドには割り当てず、１つは対応情報を表示させるためのリモコンコードである「対応情報表示リモコンコード」、もう１つはテレビジョン受像機Ｂ０１と被制御機器Ｃ０１との制御を切り換えるためのリモコンコードである「制御切り換えリモコンコード」とする。また、リモコンコードの数が制御コマンドの数より少ない場合、その差分、すなわち動作優先度が低い方の制御コマンドはリモコンコードに割り当てられない。どのリモコンコードにどの制御コマンドを割り当てるかは使用者の使いやすい組み合わせにするのが望ましい。図５は被制御機器Ｃ０１がＤＶＤである場合の対応情報の一例である。
【００３１】
対応情報の作成が完了すると、対応情報を記憶部Ｂ０３に記憶させ、表示部Ｂ０５に表示させて「待機」へ移行する。
【００３２】
「待機」状態のときに、例えば使用者がリモコン送信機Ａ０１のボタンＡ０７の「チャンネル１」ボタンを押したとすると、リモコン送信機Ａ０１は「チャンネル１」のリモコンコードを送信し、これをリモコン受信部Ｂ０２が受信して「リモコン受信」へ移行して制御処理部Ｂ０６がリモコンコードの判別を行なう。リモコンコードが被制御機器Ｃ０１を制御するためのものであれば、「コマンド変換」へ移行し、受信した「チャンネル１」のリモコンコードを記憶部Ｂ０３が保持している対応情報に従って「再生」の制御コマンドに変換し、入出力部Ｂ０４へ送る。その後制御コマンドはＩＥＥＥ１３９４ネットワークＤ０１を介して被制御機器Ｃ０１へ送信され、被制御機器Ｃ０１は「再生」の動作を行なう。この後「待機」へ移行する。
【００３３】
「待機」状態のときに使用者がリモコン送信機Ａ０１のボタンＡ２０の「メニュー」ボタンを押し、続いてボタンＡ０８の「チャンネル２」ボタンを押したとすると、リモコン送信機Ａ０１は「メニュー」と「チャンネル２」のリモコンコードを送信し、これをリモコン受信部Ｂ０２が受信して「リモコン受信」へ移行して制御処理部Ｂ０６がリモコンコードの判別を行い、「対応情報表示リモコンコード」であると認識して、「対応情報表示切り換え」へ移行し、対応情報が表示されていれば表示をＯＦＦにし、表示されていなければＯＮにする。表示切り換えが完了すれば「待機」へ移行する。
【００３４】
「待機」状態のときに使用者がリモコン送信機Ａ０１のボタンＡ２０の「メニュー」ボタンを押し、続いてボタンＡ０７の「チャンネル１」ボタンを押したとすると、リモコン送信機Ａ０１は「メニュー」と「チャンネル１」のリモコンコードを送信し、これをリモコン受信部Ｂ０２が受信して「リモコン受信」へ移行して制御処理部Ｂ０６がリモコンコードの判別を行い、「制御切り換えリモコンコード」であると認識して、「制御切り換え」へ移行し、制御がテレビジョン受像機Ｂ０１の制御であれば被制御機器Ｃ０１の制御に切り換え、Ｃ０１の制御であればＢ０１に切り換える。制御切り換えが完了すれば「待機」へ移行する。
【００３５】
次に被制御機器Ｃ０１の動作について説明する。被制御機器Ｃ０１がテレビジョン受像機Ｂ０１と接続される場合に被制御機器Ｃ０１は図４の手順に従って処理を行なう。
【００３６】
まず電源が投入されると被制御機器Ｃ０１は「待機」状態となり、他機器の接続を待つ。
【００３７】
「待機」状態のときにテレビジョン受像機Ｂ０１と接続された場合、「機器接続確認」へ移行し、テレビジョン受像機Ｂ０１との接続が確立されたかどうかを入出力部Ｃ０２によって確認する。確認後「要求信号受信」へ移行し、テレビジョン受像機Ｂ０１からの制御コマンド要求信号を入出力部Ｃ０２が受信すれば、「制御コマンド送信」へ移行し、記憶部Ｃ０３が予め記憶している動作名コードと動作優先度が割り当てられた全ての制御コマンドを入出力部Ｃ０２へ送り、テレビジョン受像機Ｂ０１へ送信する。送信が完了したら「待機」へ移行する。
【００３８】
「待機」状態のときに、テレビジョン受像機Ｂ０１から制御コマンドが送信されれば、「制御コマンド受信」へ移行し、制御処理部Ｃ０４がそのコマンドを判別する。制御コマンドが「再生」であれば「動作」に移行して再生動作を行い、「待機」へ移行する。
【００３９】
以上はテレビジョン受像機Ｂ０１に被制御機器Ｃ０１の１台のみが接続された場合であるが、次に、テレビジョン受像機Ｂ０１に被制御機器Ｃ０１が接続された状態で、さらに被制御機器Ｅ０１が接続された場合について説明する。
【００４０】
テレビジョン受像機Ｂ０１は「待機」状態で被制御機器Ｅ０１が接続されると、図３の手順の「機器接続確認」、「制御コマンド要求」、「制御コマンド取得」を被制御機器Ｅ０１に対して前述と同様の処理を行うが、「対応情報作成」では、まず記憶部Ｂ０３が記憶している被制御機器Ｃ０１の制御コマンド総数と被制御機器Ｅ０１の制御コマンド総数を比較し、その比率を求める。その比率とそれぞれの制御コマンドの動作優先度を判断基準として、各リモコンコードに制御コマンドを１つずつ割り当てた対応情報を作成する。例えば被制御機器Ｃ０１の制御コマンド総数が２０個、被制御機器Ｅ０１の制御コマンド総数が１５個とすればその比率は４対３となる。制御コマンドを割り当て可能なリモコンコードの総数が１４とすれば、リモコンコード１４個に対して、Ｃ０１の制御コマンド８個とＥ０１の制御コマンド６個を割り当てる。もちろん各制御コマンドの動作優先度の高い順番に割り当てる。図６は被制御機器Ｃ０１がＤＶＤ、被制御機器Ｅ０１がビデオである場合の対応情報の一例である。
【００４１】
対応情報の作成が完了すると、対応情報を記憶部Ｂ０３に記憶させ、表示部Ｂ０５に表示させて「待機」へ移行する。
【００４２】
「待機」状態のときに、例えば使用者がリモコン送信機Ａ０１のボタンＡ０７を押したとすると、リモコン送信機Ａ０１は「チャンネル１」のリモコンコードを送信する。これをリモコン受信部Ｂ０２が受信して「リモコン受信」へ移行し、制御処理部Ｂ０６がリモコンコードの判別を行なう。リモコンコードが被制御機器Ｅ０１を制御するためのものであれば、「コマンド変換」へ移行し、受信した「チャンネル１」のリモコンコードを記憶部Ｂ０３が保持している対応情報に従って「再生」の制御コマンドに変換し、入出力部Ｂ０４へ送る。その後制御コマンドはＩＥＥＥ１３９４ネットワークＤ０１を介して被制御機器Ｅ０１へ送信され、被制御機器Ｅ０１は「再生」の動作を行なう。この後「待機」へ移行する。
【００４３】
「待機」状態のときに使用者がリモコン送信機Ａ０１のボタンＡ２０を押し、続いてボタンＡ０８を押したとすると、リモコン送信機Ａ０１が対応情報表示切り換えリモコンコードを送信し、これをリモコン受信部Ｂ０２が受信して「リモコン受信」へ移行して制御処理部Ｂ０６がリモコンコードの判別を行なう。リモコンコードが対応情報表示リモコンコードであれば、「対応情報表示切り換え」へ移行し、対応情報が表示されていれば表示をＯＦＦにし、表示されていなければＯＮにする。表示切り換えが完了すれば「待機」へ移行する。
【００４４】
「待機」状態のときに使用者がリモコン送信機Ａ０１のボタンＡ２０を押し、続いてボタンＡ０７を押したとすると、リモコン送信機Ａ０１は制御切り換えリモコンコードを送信し、これをリモコン受信部Ｂ０２が受信して「リモコン受信」へ移行して制御処理部Ｂ０６がリモコンコードの判別を行なう。リモコンコードが制御切り換えリモコンコードであれば、「制御切り換え」へ移行し、制御がテレビジョン受像機Ｂ０１の制御であれば、被制御機器Ｃ０１／Ｅ０１の制御に切り換え、Ｃ０１／Ｅ０１の制御であればＢ０１に切り換える。制御切り換えが完了すれば「待機」へ移行する。
【００４５】
なお、この発明において、複数の被制御機器がテレビジョン受像機に接続される場合、テレビジョン受像機の記憶部に被制御機器ごとに対応情報を記憶する構成にしてもよい。
【００４６】
【発明の効果】
請求項１記載の遠隔制御システムによれば、使用者はリモコンが届かない場所に設置されているＡＶ機器等を例えばテレビジョン受像機に備え付けられているリモコン送信機を用いて制御することができる。その上、接続機器から対応情報を自動的に取得することにより、接続機器に応じて対応情報が記憶されたＩＣカードなどの記憶媒体を交換したり、使用者が意識的に外部からダウンロードして対応情報を更新する必要がないという効果がある。
【００４７】
請求項２から請求項４記載の遠隔制御システムによれば、請求項１と同様な効果がある。
【００４８】
請求項５および請求項６記載の遠隔制御システムによれば、請求項３または請求項４と同様な効果がある。
【図面の簡単な説明】
【図１】本発明の一実施の形態のシステム構成図である。
【図２】リモコン送信機のボタン配置の一例を示した図である。
【図３】テレビジョン受像機の基本処理手順を示したフロー図である。
【図４】被制御機器の基本処理手順を示したフロー図である。
【図５】被制御機器がＤＶＤである場合の対応情報の一例を示した説明図である。
【図６】被制御機器がＤＶＤとビデオである場合の対応情報の一例を示した説明図である。
【符号の説明】
Ａ０１    リモコン送信機
Ａ０２    リモコン操作部
Ａ０３    リモコン送信部
Ｂ０１    テレビジョン受像機
Ｂ０２    リモコン受信部
Ｂ０３    記憶部
Ｂ０４    入出力部
Ｂ０５    表示部
Ｂ０６    制御処理部
Ｃ０１    被制御機器
Ｃ０２    被制御機器入出力部
Ｃ０３    被制御機器記憶部
Ｃ０４    被制御機器制御処理部
Ｄ０１    ネットワーク
Ｅ０１    被制御機器
【図１】
2004320296.tif 000003
【図２】
2004320296.tif 000004
【図３】
2004320296.tif 000005
【図４】
2004320296.tif 000006
【図５】
2004320296.tif 000007
【図６】
2004320296.tif 000008